(57)【要約】【課題】操作キー等に対応する機能の内容をユーザーが容易に理解することができる電子機器を得る。【解決手段】ソフトキーで用いられる機能名称は、優先度ポイントに基づいて定められる（Ｓ３）。制御部は、使用された機能名称がユーザーに適切に認識されたために、今後もこの機能名称を用いることが好ましいと推定される場合に、その優先度ポイントを増加させる（Ｓ９）。一方、優先度ポイントを増加させる事由が存在すると認識することができなかった場合（Ｓ８：Ｎｏ）には、逆に、使用された機能名称の優先度ポイントを減少させる事由が存在するか否かが認識され（Ｓ１０）、この事由があると認められた場合（Ｓ１０：Ｙｅｓ）には、前記の場合（Ｓ９）とは逆に、この機能名称の優先度ポイントが１０だけ減少させた機能表示情報が記憶部に記憶される（Ｓ１１）。【選択図】図４
2020042552.tif 000002
【特許請求の範囲】
【請求項１】
ユーザーによって操作される操作キーに対応して当該操作キーに対応する機能が機能名称として表示される電子機器であって、
単一の前記操作キーに対して設定された互いに異なる複数の前記機能名称と、複数の前記機能名称の各々に対応して数値化されて設定された優先度ポイントと、が組み合わされて設定された機能表示情報を記憶する記憶部と、
前記優先度ポイントの値を基にして複数の前記機能名称のうちの一つを選択して前記操作キーに対応させて表示させると共に、前記一つの前記機能名称が表示された際の前記操作キーが使用された際の状況に応じて前記一つの前記機能名称に対応する前記優先度ポイントの値を変更する制御部と、
を具備することを特徴とする電子機器。
【請求項２】
前記制御部は、選択された前記機能名称が表示された状態で前記操作キーが操作され、当該操作キーに対応する機能が予め定められた一定時間内に実行された場合に、当該機能名称が選択されやすくなる向きに当該機能名称の前記優先度ポイントを変更することを特徴とする請求項１に記載の電子機器。
【請求項３】
前記制御部は、選択された前記機能名称が表示された状態の前記操作キーに対する操作が、当該操作キーに対応する機能が実行される前に複数回行われた場合に、当該機能名称が選択されにくくなる向きに当該機能名称の前記優先度ポイントを変更することを特徴とする請求項１又は２に記載の電子機器。
【請求項４】
選択された前記機能名称が表示された前記操作キーを操作する前記ユーザーを撮像する撮像部と、
前記撮像部によって撮像された前記ユーザーの表情を認識する表情認識部と、
を具備し、
前記制御部は、認識された前記表情に応じて、当該機能名称が選択されにくくなる向きに当該機能名称の前記優先度ポイントを変更することを特徴とする請求項１から請求項３までのいずれか１項に記載の電子機器。
【請求項５】
前記操作キー及び前記機能名称を表示するタッチパネルディスプレイを具備することを特徴とする請求項１から請求項４までのいずれか１項に記載の電子機器。
【請求項６】
媒体に画像を形成して出力する画像形成装置であることを特徴とする請求項１から請求項５までのいずれか１項に記載の電子機器。
【発明の詳細な説明】
【技術分野】
【０００１】
本発明は、ユーザーの操作により様々な機能を実行する電子機器に関する。
【背景技術】
【０００２】
例えば、複合機として知られる画像形成装置においては、印刷出力、ファクシミリ出力、画像データの読み取り等、各種の機能が設けられる。これらの機能は、ユーザーは対応する操作キーを操作することによって実行される。このため、操作キーには、各機能に対応した操作キーの名称が表示されている。これらの操作キーは、実際にはタッチパネルディスプレイにおいて仮想的な操作キー（ソフトキー、アイコン）として設けられ、操作の階層に応じてタッチパネルディスプレイで切り替えて表示される。こうした場合においても、各ソフトキー、アイコンに対応する内容をユーザーが容易に認識でき、その操作を容易に行うことができるような設定とされる。
【０００３】
特許文献１には、特にコンテンツを表示する表示装置において、表示画面におけるこのコンテンツが表示される領域の周囲に、この操作に関わる複数のアイコンが並んで表示され、各アイコンの使用頻度に応じてアイコンの配置を変える技術が記載されている。
【０００４】
また、特許文献２には、操作キーの内容を表示するヘルプメッセージが様々な言語で表示可能とされ、ユーザーが使用する言語が一旦認識されると、以降の処理においては操作に関わる画面の表示がその言語で行われる電子機器が記載されている。
【先行技術文献】
【特許文献】
【０００５】
【特許文献１】特開２０１２−２３０６５８号公報
【特許文献２】特開２０１１−２１６０３９号公報
【発明の概要】
【発明が解決しようとする課題】
【０００６】
多くの機能を有する電子機器においては、各機能を実行するためには各種の設定が行われ、例えば、複合機が印刷出力を行う際には、片面／両面印刷、モノクロ／カラー画像の設定や、用紙１枚に出力する頁数の設定等も行われる。このような設定も、上記のようなソフトキー、アイコン等の操作によって行うことができる。
【０００７】
ここで、こうした操作には、操作毎にその具体的内容を表す名称が付与されており、対応するソフトキーやアイコンには、この名称が対応して表示される。この名称は、一般的には複合機のメーカーが同一である場合には統一されているが、同一の内容の操作であっても、メーカーが異なれば、全く異なる名称が設定されている場合も多い。例えば、印刷出力を行う際に、１枚の用紙に文書ファイルの複数頁を並べて出力させる機能には、「ページ集約」、「縮小レイアウト」等、同一内容であっても、様々な名称が設定されている。
【０００８】
このため、異なるメーカーの複合機を新たに導入した場合等には、ユーザは、取扱説明書を熟読する必要があり、ユーザーがその操作を適切に行うことができるまでには、時間を要した。
【０００９】
このため、操作キー等に対応する機能の内容をユーザーが容易に理解することができる電子機器が望まれた。
【００１０】
本発明はこのような状況に鑑みてなされたものであり、上記課題を解決できる技術を提供することを目的とする。
【課題を解決するための手段】
【００１１】
本発明の電子機器は、ユーザーによって操作される操作キーに対応して当該操作キーに対応する機能が機能名称として表示される電子機器であって、単一の前記操作キーに対して設定された互いに異なる複数の前記機能名称と、複数の前記機能名称の各々に対応して数値化されて設定された優先度ポイントと、が組み合わされて設定された機能表示情報を記憶する記憶部と、前記優先度ポイントの値を基にして複数の前記機能名称のうちの一つを選択して前記操作キーに対応させて表示させると共に、前記一つの前記機能名称が表示された際の前記操作キーが使用された際の状況に応じて前記一つの前記機能名称に対応する前記優先度ポイントの値を変更する制御部と、を具備することを特徴とする。
【発明の効果】
【００１２】
上記の構成により、操作キー等に対応する機能の内容をユーザーが容易に理解することができる電子機器を得ることができる。
【図面の簡単な説明】
【００１３】
【図１】本発明の実施の形態に係る電子機器の構成を示すブロック図である。
【図２】本発明の実施の形態に係る電子機器における「ページ集約」、「縮小レイアウト」、「Ｎ  ｕｐ」に対応する動作を示す図である。
【図３】本発明の実施の形態に係る電子機器におけるタッチパネルディスプレイの表示の例である。
【図４】本発明の実施の形態に係る電子機器における動作を示すフローチャートである。
【図５】本発明の実施の形態に係る電子機器において用いられる機能表示情報の例である。
【発明を実施するための形態】
【００１４】
以下、本発明を実施の形態に係る電子機器について説明する。図１は、この電子機器となる画像形成装置１の構成を示す図である。この画像形成装置１は、原稿に形成された画像を光学的に読み取り、これを新たに用紙（媒体）に形成して印刷出力することができる。また、ネットワークを介して接続されたコンピューターが送信した印刷ジョブを受信し、この印刷ジョブで指定された文書ファイルを同様に印刷出力することができる。以下では、主に前者の機能に関わる構成について説明する。
【００１５】
このため、この画像形成装置１には、原稿の表面に形成された画像を光学的に読み取った画像ファイルとして入手する原稿読取部２０が設けられる。また、複数枚の原稿を順次原稿読取部２０に搬送して画像ファイルを順次取得する原稿搬送部３０が設けられる。ユーザーがこの操作を行うに際しては、複数の操作キーが設けられた操作部４１と各種の情報を表示する表示部４２が用いられる。実際には、操作部４１と表示部４２は、これらが一体化したタッチパネルディスプレイ４０として設けられ、操作部４１における操作キーはタッチパネルディスプレイ４０におけるソフトキーやアイコンとして表示される。
【００１６】
上記のように読み取られた画像は、画像形成部５０によって新たに用紙上に形成されて出力される。例えば、原稿読取部２０で原稿を１頁ずつ読み取り、読み取られた１頁分の画像を画像形成部５０で新たに複数枚の用紙に形成する動作を行わせることもできる。また、読み取られた複数頁分の画像を新たに１枚の用紙中に並べて出力する動作を行わせることもできる。こうした動作は、ユーザーによる操作部４１への操作によって行われる。
【００１７】
画像形成装置１におけるこれらの動作は、制御部１０によって制御されて行われる。また、制御部１０がこの制御を行う際に用いられるデータは、不揮発性メモリやハードディスクで構成された記憶部６０に記憶される。また、記憶部６０には、上記の画像ファイル等も記憶される。また、この画像形成装置１においては、操作部４１を操作するユーザー（ユーザーの顔）を撮像することができる撮像部７０が設けられる。更に、これによって得られた画像データから、撮像されたユーザーの表情を周知のパターン認識手法により認識することにより、このユーザーの表情を認識する表情判定部８０が設けられる。なお、前記のように、この画像形成装置１は、ネットワークを介して受信した印刷ジョブに基づく出力も画像形成部５０から行うことができるが、この機能に関わる構成の記載は図１では省略されている。
【００１８】
この画像形成装置１は、タッチパネルディスプレイ４０（表示部４２）において、画像形成装置１の操作に際して用いられる表示（ソフトキーやアイコン）に関わる表示に特徴を有する。以下に、この点について詳細に説明する。以下では、この例として、前記のような、読み取られた複数頁分の原稿の画像を新たに１枚の用紙中に並べて出力する動作を行わせるための操作の場合について説明する。
【００１９】
図２は、この動作を模式的に説明する図である。ここでは、４頁の原稿Ｍが原稿搬送部３０により順次原稿読取部２０に搬送され、各頁に形成された画像（Ａ〜Ｄ）が順次原稿読取部２０で読み込まれ、読み込まれた４つの画像が画像形成部５０によって１枚の用紙Ｐに配列されて出力される。
【００２０】
こうした動作を表す名称は一般的には統一されておらず、例えば、「ページ集約」、「縮小レイアウト」、「Ｎ  ｕｐ」が用いられている。これらの名称は、画像形成装置１のメーカーによって使い分けられているが、その動作については変わるところがない。制御部１０は、この動作に対応するソフトキー（あるいはアイコン）をタッチパネルディスプレイ４０に表示させることができ、ユーザーがこのソフトキーを操作する（タッチする、クリックする等）ことによって、この動作を行わせることができる。ただし、このためには、このソフトキーがこの動作に対応するものであることをユーザーが認識できることが必要となる。
【００２１】
このために、タッチパネルディスプレイ４０においてこのソフトキーに対応して表示される名称（機能名称）としては、上記の「ページ集約」、「縮小レイアウト」、「Ｎ  ｕｐ」のいずれかが選択されて表示される。制御部１０は、この各名称を、各機能名称に対応する数値である優先度ポイントと共に記憶部６０に記憶し、最も優先度ポイントの高い機能名称が選択されて使用される。ただし、優先度ポイントは制御部１０により、ユーザーによる操作等に応じて適宜更新され、どの機能名称が選択されるかは、状況に応じて異なる。制御部１０は、各機能名称の優先度ポイントを増大させる、又は減少させる処理を行う。制御部１０がこのように優先度ポイントを設定する際には、ユーザーによって行われた操作の内容が考慮される、あるいは撮像部７０、表情判定部８０等が用いられる。
【００２２】
以下に、図２における動作を行わせる際のタッチパネルディスプレイ４０（表示部４２）における表示について具体的に説明する。図３（ａ）〜（ｃ）は、上記のように読み取られた画像を、画像形成部５０によって新たに用紙上に形成して出力させる際のタッチパネルディスプレイ４０の画面の例である。ここでは、３つのソフトキー（操作キー）Ｋ１〜Ｋ３が表示され、ソフトキーＫ１は出力に用いられる用紙サイズの設定、ソフトキーＫ２は片面／両面印刷の設定、ソフトキーＫ３は上記の「ページ集約」等の設定を行う際に操作される。これらのソフトキーが操作された場合には、その設定を行うための表示画面が表示され、その中で設定が可能とされ、設定された内容が、各ソフトキーの中に表示されている。例えば、ソフトキーＫ１においてはＡ４用紙が選択され、ソフトキーＫ２においては片面印刷が選択されている。以下では、前記の通り、ソフトキーＫ３で表示される機能表示Ｋ３Ｆの具体的内容の設定について説明する。ここでは、機能表示Ｋ３Ｆとして、上記の機能名称の一つである「ページ集約」が表示されている。ここでは、この機能表示Ｋ３Ｆに表示される機能名称が、制御部１０によって「ページ集約」、「縮小レイアウト」、「Ｎ  ｕｐ」の中から選択される。
【００２３】
また、「実行」と表示されたソフトキーＫ４は実行キーであり、これが操作されることによって、ソフトキーＫ１〜Ｋ３で表示された設定での出力を開始させるために設けられる。「戻る」と表示されたソフトキーＫ５はキャンセルキーであり、これが操作されることによって、その前の設定画面に戻すために用いられる。このため、例えばソフトキーＫ３の操作により図２の方式の出力が設定された後でソフトキーＫ５が操作された場合には、図２の方式の出力を行う旨の設定は取り消される。逆に、ソフトキーＫ５が操作された場合には、この設定がユーザーによって承認されたことになり、その後に出力が行われる。
【００２４】
図３（ａ）は、このように各ソフトキーを表示させた際の最初の画面（ページ集約に関する設定が行われる前の画面）である。この状態からユーザーがソフトキーＫ３を操作した場合には、図３（ｂ）に示されるように、ページ集約の具体的内容を設定させるための表示（設定表示Ｋ３Ｓ）が行われる。設定表示Ｋ３Ｓにおいては、（１）１枚の用紙に原稿１頁分の出力を行わせる（ページ集約を行わない）場合、（２）１枚の用紙に原稿２頁分の出力を行わせる場合、（３）１枚の用紙に原稿４頁分の出力を行わせる場合（図２の動作を行わせる場合）、（４）１枚の用紙に原稿６頁分の出力を行わせる場合、のいずれかが画像化されて示され、選択可能とされる。この画面において、ユーザーが（３）を選択した場合には、図３（ｃ）のように、（３）が選択された旨が画像化されて表示される。その後、この状態でソフトキーＫ４が操作された場合には、ここに示された条件で印刷出力が行われる。一方、この設定が行われた後で、ソフトキーＫ５が操作される、あるいは再度ソフトキーＫ３が操作された場合には、再び図３（ｂ）の画面となり、ページ集約に対しての設定を再度行うことができる。
【００２５】
この画像形成装置１において、図２の方式で出力を行わせる際のソフトキーＫ３の表示に関わる制御について、説明する。図４は、この際の制御部１０が行う動作を示すフローチャートである。この動作は、まず、タッチパネルディスプレイ４０の画面を印刷出力を行わせるための設定画面（図３）に切り替えるための操作が行われた場合（Ｓ１）から開始される。制御部１０は、これにより、図３における各ソフトキーを表示させるためのデータを記憶部６０から読み出す。ソフトキーＫ３については、上記の「ページ集約」、「縮小レイアウト」、「Ｎ  ｕｐ」という機能名称と、優先度ポイントＰ１〜Ｐ３とが対応付けられたデータである機能表示情報が読み出される（Ｓ２）。図５は、この機能表示情報の例を示し、図５（ａ）は、特にこの機能表示情報の初期状態の例を示す。ここでは、各機能名称に初期優先度と、優先度ポイントが対応付けられている。初期優先度は、初期状態で各機能名称に付与され、ここでは値が小さなものの優先度が高いことを意味し、「ページ集約」の初期優先度が１、「縮小レイアウト」の初期優先度が２、「Ｎ  ｕｐ」の初期優先度が３とされている。優先度ポイントは、Ｐ１〜Ｐ３の全てにおいて１００と等しくされる。
【００２６】
ソフトキーＫ３で用いられる機能名称は、優先度ポイントに基づいて定められる（Ｓ３）が、初期状態においては、このように優先度ポイントに差がないため（Ｓ３：Ｎｏ）、初期優先度の高い「ページ集約」が選択され（Ｓ４）、図３（ａ）のような表示が行われる（Ｓ５）。一方、後述するように、ソフトキーＫ３が一度表示された後では各機能名称の優先度ポイントの値は変動することがあるため、この場合には、優先度ポイントは一様とはならない（Ｓ３：Ｙｅｓ）。この場合には、最も優先度ポイントが高い機能名称が選択され（Ｓ６）、機能表示Ｋ３Ｆで表示される（Ｓ５）。
【００２７】
その後、図３（ｂ）（ｃ）に示された操作が行われ、このようにソフトキーＫ３が表示された画面から、ソフトキーＫ３が表示されない画面に切り替わった場合（Ｓ７：Ｙｅｓ）、すなわち、例えば図３（ｃ）の画面から実行キー（ソフトキーＫ４）が操作されて印刷出力が開始された場合や、全体の操作をやり直すために他のメニュー画面に移行した場合等には、以下に説明するように、使用された機能名称（図３においては「ページ集約」）の優先度ポイントを増減させる操作が行われる。
【００２８】
まず、制御部１０は、使用された機能名称がユーザーに適切に認識されたために、今後もこの機能名称を用いることが好ましいと推定される場合（Ｓ８：Ｙｅｓ）に、その優先度ポイントを増加させる（Ｓ９）。例えば、図３（ｂ）の表示が行われた場合において、ユーザーが実行キー（ソフトキーＫ４）を操作してこの設定で印刷出力を行わせた場合には、制御部１０は、ソフトキーＫ３で用いられた機能名称がユーザーに適切に認識されたと推定することができ、優先度ポイントを増加させる事由が存在すると認識することができる（Ｓ８：Ｙｅｓ）。この場合には、制御部１０は、この場合に、図５（ａ）に示された機能表示情報中の機能名称「ページ集約」の優先度ポイントＰ１を１０だけ高め、図５（ｂ）のように変更して記憶部６０に記憶させる（Ｓ９）。以降の動作でソフトキーＫ３が使用される際（Ｓ１）には、読み出される機能表示情報（Ｓ２）でこの機能名称「ページ集約」の優先度ポイントＰ１が他よりも高いため（Ｓ３：Ｙｅｓ）、機能名称として「ページ集約」が選択されて機能表示Ｋ３Ｆで表示される（Ｓ６）。
【００２９】
特に、上記のようにこの機能名称が表示されてソフトキーＫ３に対応する機能が短時間の間に実行されるように操作部４１が操作された場合には、使用された機能名称が適切であったと推定することができる。この場合には、予め定められた一定時間（短時間）の間にこのような機能が実行された場合には、このような事由が存在する（Ｓ８：Ｙｅｓ）とすることができる。その他、ユーザーが表示されたこの機能名称が適切であると判断したと推定できるための根拠となる操作が行われた場合を、このような事由が存在する場合（Ｓ８：Ｙｅｓ）であるとすることができる。
【００３０】
一方、優先度ポイントを増加させる事由が存在すると認識することができなかった場合（Ｓ８：Ｎｏ）には、逆に、使用された機能名称の優先度ポイントを減少させる事由が存在するか否かが認識され（Ｓ１０）、この事由があると認められた場合（Ｓ１０：Ｙｅｓ）には、前記の場合（Ｓ９）とは逆に、この機能名称の優先度ポイントＰ１を１０だけ減少させた機能表示情報（図５（ｃ））が記憶部６０に記憶される（Ｓ１１）。これによって、以降の動作でソフトキーＫ３が使用される際（Ｓ１）には、読み出された機能表示情報（Ｓ２）でこの機能名称「ページ集約」の優先度ポイントＰ１が他よりも低くなるため（Ｓ３：Ｙｅｓ）、機能名称として「ページ集約」以外のもの（「縮小レイアウト」、「Ｎ  ｕｐ」のいずれか）が選択されて用いられる（Ｓ６）。この際、「縮小レイアウト」、「Ｎ  ｕｐ」のうち、優先度ポイントの高いものが選択される（Ｓ６）が、図５（ｃ）のようにこれらの優先度ポイントＰ２、Ｐ３が等しい場合には、図５において初期優先度が高い「縮小レイアウト」が選択される。この場合、以降の動作においては、同様に、この機能名称「縮小レイアウト」の優先度ポイントが同様に制御部１０によって操作される。
【００３１】
上記の優先度ポイントを増加させる事由（Ｓ８）と同様に、このように優先度ポイントを減少させる事由（Ｓ１０）として、各種の操作が行われた場合を設定することができる。例えば、図３（ｂ）のように「ページ集約」機能の具体的内容の設定が行われた後でキャンセルキー（ソフトキーＫ５）が操作され、かつその後に再び図３（ｂ）に示された設定がやり直された場合には、表示された機能名称が適切ではなかったと推定することができる。すなわち、ソフトキーＫ３に対応する機能が実行される前に、このソフトキーＫ３に関わる操作（図３（ｂ）の設定等）が複数回行われた場合には、ユーザーが、この機能名称を適切に認識できなかった可能性が高いため、これを優先度ポイントを減少させる事由とすることができる。同様に、この機能名称がユーザーに適切に認識されなかった推定できるための根拠となる操作が行われた場合を、このような事由が存在する場合（Ｓ１０：Ｙｅｓ）であるとすることができる。
【００３２】
また、この判定基準として、ユーザーの表情を用いることができ、このために、図１における撮像部７０、表情判定部８０を用いることができる。撮像部７０は、タッチパネルディスプレイ４０を操作するユーザーの顔を撮像できるように設定される。この際、例えば、ユーザーが、例えば「ページ集約」の機能名称が表示されたソフトキーＫ３を操作した後で、その操作が誤りであったことに気付いた場合には、この心理が表情に現れる場合がある。この場合、例えば、その表情がしかめ面となったことを表情判定部８０により制御部１０が認識することができる。あるいは、操作を間違えたことにユーザーが気付いた場合には、その表情が急激に変化し、この急激な変化を表情判定部８０により認識することもできる。これらの場合には、この際に用いられた機能名称「ページ集約」の優先度ポイントを減少させる事由が存在した（Ｓ１０：Ｙｅｓ）とすることができる。
【００３３】
上記のように優先度ポイントを増加させる事由がなく（Ｓ８：Ｎｏ）、かつ優先度ポイントを減少させる事由もない（Ｓ１０：Ｎｏ）場合には、優先度ポイントの値の変更は行われない。
【００３４】
その後、優先度ポイントの変更（Ｓ９、Ｓ１１）の有無に関わらず、ソフトキーＫ３が表示された画面から、他の表示画面の変更が行われ（Ｓ１２）、ソフトキーＫ３の表示は終了する。その後で、再びソフトキーＫ３が表示される画面が用いられる際には、上記のように、最新の優先度ポイントが考慮されて選択された機能名称がソフトキーＫ３で用いられる。
【００３５】
上記の例においては、ソフトキーＫ３で用いられる機能名称の選択について説明されたが、他のソフトキーについても、同様に、複数設けられたその機能名称のうちの一つを選択させる設定とすることができる。この場合、上記のような優先度ポイントを増加させる事由があるか否かの判断（Ｓ８）、優先度ポイントを減少させる事由があるか否かの判断（Ｓ１０）は、ソフトキー毎に行わせることができる。例えば、ある一つのソフトキーの操作に関する設定（例えば図３（ｂ）に示されたような設定）が複数回行われた後に実行キーが操作された場合にはこの操作キーの優先度ポイントを減少させる、あるいはある一つのソフトキーの操作に関する設定が１回行われたのみで実行キーが操作された場合にはこの操作キーの優先度ポイントを増加させる、等の処理を行わせることができる。また、上記のようなユーザーの表情による判定を、ソフトキーに対する操作が行われた直後（所定の短時間後）に行わせることにより、認識された表情の変化は、このソフトキーに対するものであると推定することができる。
【００３６】
なお、上記の例では、優先度ポイントが数値化されて設定され、優先度ポイントが大きな場合に対応する機能名称が選択されるものとした。すなわち、優先度ポイントを増大させる操作は対応する機能名称が選択されやすくなる操作であり、優先度ポイントを減少させる操作は対応する機能名称が選択されにくくなる操作である。しかしながら、優先度ポイントの設定は任意であり、逆に優先度ポイントが小さな場合に、対応する機能名称が選択されやすくなる設定としてもよく、この場合には、優先度ポイントの増減の操作は、上記の例とは逆に行われる。すなわち、数値化された優先度ポイントの大小と機能名称が選択される優先度の関係は任意である。また、上記の例では優先度ポイントの増減は１０ずつ行われるものとしたが、優先度ポイントの増減を行うための判断の基準（Ｓ８、Ｓ１０）となった事項に応じて、この増減の値を変えることもできる。また、ある機能名称がユーザーの設定によって選択対象から除外されるようにしてもよい。
【００３７】
また、優先度ポイントの増減を行うための判断の基準（Ｓ８、Ｓ１０）は、ソフトキーに対応する機能の内容や、各ソフトキーを用いて行われる操作（例えば各種の条件の設定）の内容に応じて適宜設定することができる。
【００３８】
ここで、ソフトキーとは、タッチパネルディスプレイ４０の画面においてユーザーに操作されることによって何らかの動作が行われるものであり、アイコンもこのソフトキーとみなすことができる。また、上記の例では、タッチパネルディスプレイ４０に表示されるソフトキー及びこれに対応して表示される機能名称の選択について記載されたが、対応する機能名称が可変とされる限りにおいて、表示された操作キーではなく物理的に設けられたハードキーに対しても、上記のように機能名称を設定することができる。すなわち、対応する機能名称が可変とされた操作キーが用いられれば、上記の構成を適用することができる。
【００３９】
また、上記の例では、実施の形態に係る電子機器が画像形成装置であるものとしたが、操作キー、機能名称が同様に用いられる任意の電子機器に対して、上記の構成を用いることができる。ただし、多機能であるために特に多くの種類の操作キー（ソフトキー）が用いられる画像形成装置（複合機）においては、特に上記の構成が有効である。
【符号の説明】
【００４０】
１  画像形成装置（複合機、電子機器）
１０  制御部
２０  原稿読取部
３０  原稿搬送部
４０  タッチパネルディスプレイ
４１  操作部
４２  表示部
５０  画像形成部
６０  記憶部
７０  撮像部
８０  表情判定部
Ｋ１〜Ｋ３  ソフトキー（操作キー）
Ｋ４  ソフトキー（実行キー）
Ｋ５  ソフトキー（キャンセルキー）
Ｋ３Ｆ  機能表示
Ｋ３Ｓ  設定表示
Ｍ  原稿
Ｐ  用紙
【図１】
2020042552.tif 000003
【図２】
2020042552.tif 000004
【図３】
2020042552.tif 000005
【図４】
2020042552.tif 000006
【図５】
2020042552.tif 000007